(57)【特許請求の範囲】
【請求項１】
複数の焦点検出領域に対応する第１の開口および第２の開口を有する視野マスクと、前記第１および第２の開口を通過した前記焦点検出領域に対応する複数の光束の進行方向を変更する光反射部材と、前記光反射部材により進行方向が変更された前記複数の光束を受光する第１受光部および第２受光部を有する撮像素子とからなり、前記第１の開口を通過して前記光反射部材によって進行方向が変更された後に前記第１受光部に入射する第１の光束が、前記第２の開口を通過して前記光反射部材によって進行方向が変更された後に前記第２受光部に入射する第２の光束のうち前記光反射部材に入射する前の光束と交差する焦点検出光学系において、
前記視野マスクと前記光反射部材との間であって、前記第１の光束と前記第２の光束との間に位置し、前記光反射部材によって前記進行方向が変更される前の前記第１および第２の光束にほぼ垂直な第１遮光部材と、前記光反射部材と前記撮像素子との間に位置し、前記光反射部材によって前記進行方向が変更された後の前記第１および第２の光束にほぼ垂直な第２遮光部材とを一部材で構成した遮光手段を有することを特徴とする焦点検出光学系。
【発明の詳細な説明】
【０００１】
【発明の属する技術分野】
本発明はカメラ等の光学機器の焦点検出装置における焦点検出光学系の構成に関するものである。
【０００２】
【従来の技術】
従来、カメラの焦点検出装置として、位相差検出方式を用いたものが知られている。図８は、この種の焦点検出装置の分解斜視図である。この焦点検出装置は、ホルダ１によって支持される赤外カットフィルタ２、焦点検出に不要な光を遮光し焦点検出領域に対応する開口を有する視野マスク３、コンデンサレンズ４、折り返しミラー５、絞りマスク６、再結像レンズ７、ＣＣＤ受光素子８らの光学要素からなる焦点検出光学系と、ホルダ１に一体的に構成される第１中間マスク部９および第２中間マスク部１０とからなる。また、この焦点検出装置は、複数の焦点検出領域を有する。
【０００３】
図９は、図８に示す焦点検出装置の焦点検出領域を示す図である。ファインダー内の視野１３に対して、焦点検出領域を示す指標１１ａ、１１ｂ、１１ｃと、実際に焦点検出を行う焦点検出ゾーン１２ａ、１２ｂ、１２ｃ、１２ｄがある。焦点検出領域を示す指標１１ａの焦点検出ゾーン１２ａ、１２ｂは、縦横十字型になっており、焦点検出領域を示す指標１１ｂ、１１ｃの焦点検出ゾーン１２ｃ、１２ｄは、縦列である。
【０００４】
焦点検出ゾーン１２ａ、１２ｂの焦点検出に必要な光束は、視野マスク３の開口３ａ、コンデンサレンズ４の中央のレンズ部４ａ、ホルダ１に一体的に設けられた第１中間マスク部９の中央の開口９ａを通過し、折り返しミラー５で反射された後、第２中間マスク部１０の中央の開口１０ａを通過する。そして、絞りマスク６の中央の開口６ａ、６ｂ、６ｃ、６ｄ、再結像レンズ７の中央のレンズ部７ａ、７ｂ、７ｃ、７ｄを通過し、ＣＣＤ受光素子８上の８ａ、８ｂ、８ｃ、８ｄ部に結像される。視野マスク３で遮光しきれなかった迷光は、第１中間マスク部９または第２中間マスク部１０で遮光される。他の焦点検出ゾーンの焦点検出に必要な光束も同様に、各光学要素を通過し、ＣＣＤ受光素子８上に結像される。
【０００５】
また、撮影画面の中央と左右だけでなく、上下にも焦点検出領域を有することにより、撮影者が決めた構図で適確に主要被写体に対して焦点検出を行えるようにしたカメラも知られている。１３５ミリやＩＸ２４０のカメラの場合には、画面サイズが横に比べて縦の方が短く、またカメラ内部の各光学要素の配置の都合上、上下の焦点検出領域は左右よりも中央の焦点検出領域に近づける必要がある。したがって、上下に焦点検出領域を設けた場合、その領域に対応する視野マスク３や各中間マスク部９、１０の開口は中央に近づけなければならない。特に、中央と上下左右の焦点検出領域のＣＣＤ受光素子を１つのチップ上に形成するとともに、チップサイズを小さくしてコスト削減を図ろうとする場合には、焦点検出光学系はフィルム等価面からの光束を縮小するようにしなくてはならない。よって、各中間マスク部９、１０における上下の焦点検出領域に対応する開口は、視野マスク３における左右の焦点検出領域に対応する開口よりもさらに中央の焦点出領域に対応する開口に接近する。このように開口が接近してしまうと、迷光を遮光するのが困難になるという問題点が生じる。
【０００６】
この問題点を解決するには、上下の焦点検出領域の焦点検出に用いる光束および中央の焦点検出領域の焦点検出に用いる光束と、迷光とが分離している場所に中間マスク部を配置することが望ましい。特開平６−２６５７７９号公報には、折り返しミラー反射前の迷光を遮光する中間マスクを、折り返しミラー反射後の焦点検出に必要な光束の間隔に配置することが提案されている。また、同公報には、この中間マスクを視野マスクとほぼ平行に配置することや、折り返しミラー反射後の迷光を遮光するために、この中間マスクを折り返しミラーにほぼ平行に配置することも提案されている。
【０００７】
【発明が解決しようとする課題】
しかしながら、中間マスク部をプラスチック製のホルダと一体的に構成していれば、配置できる場所に制約があり、有効に迷光を遮光することができなかった。また、中間マスク部の厚さ分の壁面が光束の近傍に生じ、その壁面での反射により焦点検出動作に悪影響を与える可能性がある。
【０００８】
また、特開平６−２６５７７９号公報では、左右の焦点検出領域からの迷光も同時に遮光する機能を持たせていると記載されているが、この公報の遮光部材では、視野マスク２２の開口２２ｃから絞りマスク２８の開口２８ｂへ進む光束である迷光５３、および視野マスク２２の開口２２ｂから絞りマスク２８の開口２８ａへ進む光束である迷光５４（図１、図５、図７参照）を完全に遮光することはできない。迷光５３、５４を完全に遮光するには、折り返しミラー反射後の光束に略垂直なマスクを、より絞りマスクに近い位置に設けることが必要である。
【０００９】
本発明の目的は、迷光を完全に遮光することで迷光による焦点検出動作不良を防止でき、かつコストを低減することができる焦点検出光学系を提供することにある。
【００１０】
【課題を解決するための手段】
上記目的を達成するために、請求項１の発明は、複数の焦点検出領域に対応する第１の開口および第２の開口を有する視野マスク（２２）と、前記第１および第２の開口を通過した前記焦点検出領域に対応する複数の光束の進行方向を変更する光反射部材（２６）と、前記光反射部材（２６）により進行方向が変更された前記複数の光束を受光する第１受光部および第２受光部を有する撮像素子（３０）とからなり、前記第１の開口を通過して前記光反射部材によって進行方向が変更された後に前記第１受光部に入射する第１の光束が、前記第２の開口を通過して前記光反射部材によって進行方向が変更された後に前記第２受光部に入射する第２の光束のうち前記光反射部材に入射する前の光束と交差する焦点検出光学系において、前記視野マスク（２２）と前記光反射部材（２６）との間であって、前記第１の光束と前記第２の光束との間に位置し、前記光反射部材によって前記進行方向が変更される前の前記第１および第２の光束にほぼ垂直な第１遮光部材（２７ｈ）と、前記光反射部材（２６）と前記撮像素子（３０）との間に位置し、前記光反射部材によって前記進行方向が変更された後の前記第１および第２の光束にほぼ垂直な第２遮光部材（２７ｉ）とを一部材で構成した遮光手段（２７）を有することを特徴とする。
【００１１】
請求項２の発明は、請求項１において、前記視野マスク（２２）は、複数の焦点検出領域（３９ａ、３９ｂ、３９ｃ、３９ｄ、３９ｅ、３９ｆ）に対応する複数の開口（２２ａ、２２ｂ、２２ｃ、２２ｄ、２２ｅ）を有し、前記第１遮光部材（２７ｈ）は、前記光反射部材（２６）により進行方向が変更された前記複数の焦点検出領域（３９ａ、３９ｂ、３９ｃ、３９ｄ、３９ｅ、３９ｆ）に対応する光束（４１、４２、４３）を遮らない位置に配置することを特徴とする。
【００１２】
【発明の実施の形態】
図１は、本発明の実施の形態による焦点検出装置の分解斜視図である。この焦点検出装置は、位相差検出方式によるものであり、焦点検出に不要な光を遮光する視野マスク２２、赤外カットフィルタ２３、コンデンサレンズ２４、折り返しミラー２６、絞りマスク２８、再結像レンズ２９、ＣＣＤ受光素子３０からなる焦点検出光学系と、視野マスク２２だけでは遮光しきれない迷光（詳細は後述する）を遮光する第１中間マスク２５および第２中間マスク２７と、これらの光学要素を支持するホルダ２１とから構成される。第１中間マスク２５は、焦点検出に必要な光束の光路上においてコンデンサレンズ２４と絞りマスク２８との間に配置され、第２中間マスク２７は、焦点検出に用いる光束の光路上において第１中間マスク２５と絞りマスク２８との間に配置される。
【００１３】
図２は、本発明の実施の形態による焦点検出装置の焦点検出領域を示す図である。ファインダー内の視野３６には、焦点検出領域を示す指標３８ａ、３８ｂ、３８ｃ、３８ｄ、３８ｅと、実際に焦点検出を行う焦点検出ゾーン３９ａ、３９ｂ、３９ｃ、３９ｄ、３９ｅ、３９ｆがある。焦点検出領域を示す指標３８ａに対応する焦点検出ゾーン３９ａ、３９ｂは、縦横十字型になっており、焦点検出領域を示す指標３８ｂ、３８ｃに対応する焦点検出ゾーン３９ｃ、３９ｄは縦列、焦点検出領域を示す指標３８ｄ、３８ｅに対応する焦点検出ゾーン３９ｅ、３９ｆは横列である。このように、本発明の実施の形態による焦点検出装置の焦点検出領域は、視野３６の中央付近とその他に上下左右のあわせて５カ所に設けている。
【００１４】
ここで図１、図２を用いて、焦点検出に必要な光束の進み方を説明する。
焦点検出ゾーン３９ａ、３９ｂでの焦点検出に必要な光束は、視野マスク２２の開口２２ａ、コンデンサレンズ２４の中央のレンズ部２４ａ、第１中間マスク２５の中央の開口２５ａを通る。そして、折り返しミラー２６で反射された後、第２中間マスク２７の開口２７ｄ、絞りマスク２８の中央の開口２８ａ、２８ｂ、２８ｃ、２８ｄ、再結像レンズ２９の中央のレンズ部２９ａ、２９ｂ、２９ｃ、２９ｄを通り、ＣＣＤ受光素子３０上の３０ａ、３０ｂ、３０ｃ、３０ｄ部に結像される。
【００１５】
焦点検出ゾーン３９ｃでの焦点検出に必要な光束は、視野マスク２２の開口２２ｂ、コンデンサレンズ２４のレンズ部２４ｂ、第１中間マスク２５の開口２５ｂを通る。そして、折り返しミラー２６で反射された後、第２中間マスク２７の２７ｅ、絞りマスク２８の開口２８ｅ、２８ｆ、再結像レンズ２９のレンズ部２９ｅ、２９ｆを通り、ＣＣＤ受光素子３０上の３０ｅ、３０ｆ部に結像される。
【００１６】
焦点検出ゾーン３９ｄでの焦点検出に必要な光束は、視野マスク２２の開口２２ｃ、コンデンサレンズ２４のレンズ部２４ｃ、第１中間マスク２５の開口２５ｃを通る。そして、折り返しミラー２６で反射された後、第２中間マスク２７の２７ｆ、絞りマスク２８の開口２８ｇ、２８ｈ、再結像レンズ２９のレンズ部２９ｇ、２９ｈを通り、ＣＣＤ受光素子３０上の３０ｇ、３０ｈ部に結像される。
【００１７】
焦点検出ゾーン３９ｅでの焦点検出に必要な光束は、視野マスク２２の開口２２ｄ、コンデンサレンズ２４のレンズ部２４ｄ、第１中間マスク２５の開口２５ｄを通る。そして、折り返しミラー２６で反射された後、絞りマスク２８の開口２８ｉ、２８ｊ、再結像レンズ２９のレンズ部２９ｉ、２９ｊを通り、ＣＣＤ受光素子３０上の３０ｉ、３０ｊ部に結像される。
【００１８】
焦点検出ゾーン３９ｆでの焦点検出に必要な光束は、視野マスク２２の開口２２ｅ、コンデンサレンズ２４のレンズ部２４ｅ、第１中間マスク２５の開口２５ｅ、第２中間マスク２７の２７ａを通る。そして、折り返しミラー２６で反射された後、第２中間マスク２７の２７ｇ、絞りマスク２８の開口２８ｌ、２８ｋ、再結像レンズ２９のレンズ部２９ｌ、２９ｋを通り、ＣＣＤ受光素子３０上の３０ｌ、３０ｋ部に結像される。
【００１９】
図３は、本発明の実施の形態による焦点検出装置の組立状態での断面図である。図１と同様なものは、同じ符号を付して説明を省略する。ハッチングで示している光束は、各焦点検出ゾーンの焦点検出に必要な光束であり、焦点検出装置内における光束の進み方を示している。光束４１が焦点検出ゾーン３９ａ、３９ｂでの焦点検出に必要な光束、光束４２が焦点検出ゾーン３９ｅでの焦点検出に必要な光束、光束４３が焦点検出ゾーン３９ｆでの焦点検出に必要な光束である。また、光束４４（図５，７参照）が焦点検出ゾーン３９ｃでの焦点検出に必要な光束、光束４５（図５，７参照）が焦点検出ゾーン３９ｄでの焦点検出に必要な光束である。なお、これらの光束４１〜４５は、視野マスク２２を介して焦点検出装置内に進入し、折り返しミラー２６により進行方向が変わり、ＣＣＤ受光素子３０へと至る。第２中間マスク２７は、折り返しミラー２６で反射される前の光束におおむね垂直な第１マスク面２７ｈと、折り返しミラー２６で反射された後の光束におおむね垂直な第２マスク面２７ｉとを有しており、これらの２つの面２７ｈ、２７ｉが、迷光を遮光するマスクとして機能する。第１マスク面２７ｈは、図３に示すように、折り返しミラー２６で反射された後の光束４１と光束４２との間で、これらの光束４１、４２に沿うように配置されている。
【００２０】
図４は、本発明の実施の形態による焦点検出装置の第１中間マスクにおける迷光の位置関係を示す図である。図１と同様なものは、同じ符号を付して説明を省略する。第１中間マスク２５の開口２５ａ、２５ｂ、２５ｃ、２５ｄ、２５ｅと迷光５１ａ、５１ｂ、５１ｃ、５１ｄ、５２ａ、５２ｂ、５２ｃ、５２ｄ、５３、５４（一点鎖線）の関係を示している。
【００２１】
ここで、本発明における迷光について詳細に説明する。
本発明における迷光とは、視野マスク２２の上下左右の開口２２ｂ、２２ｃ、２２ｄ、２２ｅのいずれかを通り、絞りマスク２８の中央の開口２８ａ、２８ｂ、２８ｃ、２８ｄのいずれかに進む光束のことをいう。図１、図４を用いて本発明の実施の形態における迷光を具体的に説明すると以下のようになる。迷光５１ａは、視野マスク２２の開口２２ｅから絞りマスク２８の開口２８ａへ進む光束、迷光５１ｂは、視野マスク２２の開口２２ｅから絞りマスク２８の開口２８ｂへ進む光束、迷光５１ｃは、視野マスク２２の開口２２ｅから絞りマスク２８の開口２８ｃへ進む光束、迷光５１ｄは、視野マスク２２の開口２２ｅから絞りマスク２８の開口２８ｄへ進む光束、迷光５２ａは、視野マスク２２の開口２２ｄから絞りマスク２８の開口２８ａへ進む光束、迷光５２ｂは、視野マスク２２の開口２２ｄから絞りマスク２８の開口２８ｂへ進む光束を、迷光５２ｃは、視野マスク２２の開口２２ｄから絞りマスク２８の開口２８ｃへ進む光束、迷光５２ｄは、視野マスク２２の開口２２ｄから絞りマスク２８の開口２８ｄへ進む光束、迷光５３は、視野マスク２２の開口２２ｃから絞りマスク２８の開口２８ｂへ進む光束、迷光５４は、視野マスク２２の開口２２ｂから絞りマスク２８の開口２８ａへ進む光束である。これらの迷光５１ａ〜５１ｄ、５２ａ〜５２ｄ、５３、５４のうち、少なくともＣＣＤ受光素子３０上に至る光束は、焦点検出に必要な光束と混ざり合ってしまい焦点検出結果を狂わす原因となるので、このような迷光をＣＣＤ受光素子３０に至る前に遮光をしなくてはならない。同様に、視野マスク２２の中央の開口２２ａから入射し、絞りマスク２８の上下左右の開口２８ｅ、２８ｆ、２８ｇ、２８ｈ、２８ｉ、２８ｊ、２８ｋ、２８ｌから出射し、ＣＣＤ受光素子３０上に至る光束があれば、それらの光束も遮光をしなくてはならない。しかし、本発明の焦点検出装置の焦点検出光学系は、視野マスク２２からＣＣＤ受光素子３０に至るまでの光束が縮小するような光学系であるので、視野マスク２２の中央の開口２２ａから拡大する方向（絞りマスク２８の上下左右の開口２８ｅ〜２８ｌ方向）に進む光束はないと考えられるので、ここでは考慮しない。図４に示すように、第１中間マスク２５で、迷光５１ａ〜５１ｄ、５２ａ〜５２ｄ、５３、５４の一部が遮光される。
【００２２】
図５は、本発明の実施の形態による焦点検出装置の第２中間マスクの第１マスク面における焦点検出に必要な光束と迷光との位置関係を示す図である。図３および図４と同様なものは、同じ符号を付して説明を省略する。第２中間マスク２７は、光束４３が通る部分に開口２７ａを、光束４１が通る部分に切り欠き２７ｂを設けている。図５に一点鎖線で示す迷光５１ａ〜５１ｄ、５２ａ〜５２ｄ、５３、５４のうちの一部は、図４に示すように、第１中間マスク２５で遮光されているが、図５ではこれらの迷光をわかりやすく示すために第１中間マスク２５がなかった場合における迷光の状態を示している。図５に示すように、第２中間マスク２７の第１マスク面２７ｈでも、迷光５１ａ〜５１ｄの一部が遮光される。
【００２３】
図６は、図３に示す焦点検出装置の組立状態の断面図に迷光の一部を加えた状態を示す図である。図３および図４と同様なものは、同じ符号を付して説明を省略する。迷光５１ｃは、視野マスク２２付近で光束４３と重畳する部分が多く、絞りマスク２８に向かって進むに従い光束４３から離れ、光束４１と重畳する部分が多くなる。図６には図示しない迷光５１ａ、５１ｂ、５１ｄも、視野マスク２２付近では４３と重畳する部分が多く、絞りマスク２８に向かって進むに従い光束４３から離れ、光束４１と重畳する部分が多くなる。
【００２４】
第２中間マスク２７の第１マスク面２７ｈは、光束４１および光束４３と、迷光５１ａ〜５１ｄとが重畳する部分が少ない位置に配置する。したがって、効率よく迷光５１ａ〜５１ｄを遮光できる。また、前述のように、第１マスク面２７ｈは、折り返しミラー２６で反射された後の光束４１と光束４２との間で、これらの光束４１、４２に沿うように配置している。しかし、従来技術のように、中間マスクをホルダと一体的に構成していれば、このような位置に中間マスクを配置することは形状的に困難である。したがって、中間マスクをホルダとは別部品に設ける必要がある。中間マスクをホルダと別部品とすることで、中間マスクを配置する場所の自由度が広がり、効率よく迷光を遮光できる位置に中間マスク（第１マスク面２７ｈ）を配置できる。
【００２５】
図７は、本発明の実施の形態による焦点検出装置の第２中間マスクの第２マスク面における焦点検出に必要な光束と迷光との位置関係を示す図である。図３、図４および図５と同様なものは、同じ符号を付して説明を省略する。焦点検出に必要な光束が通る部分には開口を設けて、これらの光束を通さなくてはならないので、第２中間マスク２７の第２マスク面２７ｉには、開口部２７ｄ、２７ｅ、２７ｆと切り欠き２７ｇを設けて、光束４１、４３、４４、４５を通している。図７に一点鎖線で示す迷光５１ａ〜５１ｄ、５２ａ〜５２ｄ、５３、５４のうちの一部は、図４および図５に示すように、第１中間マスク２５および第２中間マスク２７の第１マスク面２７ｈで遮光されているが、図７ではこれらの迷光をわかりやすく示すために第１中間マスク２５および第２中間マスク２７の第１マスク面２７ｈがなかった場合における迷光の状態を示している。図７に示すように、第２中間マスク２７の第２マスク面２７ｉで、迷光５１ａ〜５１ｄ、５２ａ〜５２ｄの一部と、迷光５３、５４の大部分とが遮光される。
【００２６】
迷光５１ａ〜５１ｄ、５２ａ〜５２ｄ、５３、５４は、図４に示す第１中間マスク２５、図５に示す第２中間マスク２７の第１マスク面２７ｈおよび図７に示す第２中間マスク２７の第２マスク面２７ｉのいずれかにより遮光されることになり、ＣＣＤ受光素子３０上に迷光は入射しない。
従来技術のように、中間マスクをホルダと一体的に形成する場合、射出成形で作成することと、材質がプラスチックであることから、中間マスク部分にある程度の厚さを与えなくてはならない。したがって、その厚さの分の壁面が光束近傍に生じることになり、壁面での反射が焦点検出に悪影響を与える可能性がある。そこで、本発明のように、中間マスクとホルダを別部材にし、さらに、中間マスクを金属やプラスチックシート材をプレスで打ち抜く方法で作成すれば、中間マスクの厚さは薄くすることができるので、焦点検出に悪影響を与える問題を解決できる。
【００２７】
また、第２中間マスク２７の第１マスク面２７ｈと第２マスク面２７ｉとを一体にすれば、部品点数が削減するので、コスト低減となる。本発明では、金属の板材を曲げることで、第１マスク面２７ｈと第２マスク面２７ｉとを一体に形成することにより、コスト低減を実施する。
【００２８】
【発明の効果】
請求項１の発明では、光反射部材で反射される前の光束に略垂直な第２中間マスクの第１のマスク面と、光反射部材で反射された後の光束に略垂直な第２中間マスクの第２のマスク面とを一体的に構成しているので、コストを低減できるとともに、ホルダ部材とは別部材とする第１中間マスクと第２中間マスクとで迷光を完全に遮光することで、迷光による焦点検出動作不良の発生をなくすことができる。
【００２９】
請求項２の発明では、撮影画面上に複数の焦点検出領域を有している場合でも、迷光による焦点検出動作不良の発生をなくすことができる。
【図面の簡単な説明】
【図１】本発明の実施の形態による焦点検出装置の分解斜視図である。
【図２】本発明の実施の形態による焦点検出装置の焦点検出領域を示す図である。
【図３】本発明の実施の形態による焦点検出装置の組立状態での断面図である。
【図４】本発明の実施の形態による焦点検出装置の第１中間マスクにおける迷光の位置関係を示す図である。
【図５】本発明の実施の形態による焦点検出装置の第２中間マスクの第１マスク面における焦点検出に必要な光束と迷光との位置関係を示す図である。
【図６】図３に示す焦点検出装置の組立状態の断面図に迷光の一部を加えた状態を示す図である。
【図７】本発明の実施の形態による焦点検出装置の第２中間マスクの第２マスク面における焦点検出に必要な光束と迷光との位置関係を示す図である。
【図８】従来の焦点検出装置の分解斜視図である。
【図９】従来の焦点検出装置の焦点検出領域を示す指標および焦点検出ゾーンを示す図である。
【符号の説明】
１，２１  ホルダ
２，２３  赤外カットフィルタ
３，２２  視野マスク
４，２４  コンデンサレンズ
５，２６  折り返しミラー
６，２８  絞りマスク
７，２９  再結像レンズ
８，３０  ＣＣＤ受光素子
９  第１中間マスク部
１０  第２中間マスク部
１１，３８  焦点検出領域を示す指標
１２，３９  焦点検出ゾーン
２５  第１中間マスク
２７  第２中間マスク
５１ａ，５１ｂ，５１ｃ，５１ｄ，５２ａ，
５２ｂ，５２ｃ，５２ｄ，５３，５４        迷光
【図１】
0004487336.tif 000002
【図２】
0004487336.tif 000003
【図３】
0004487336.tif 000004
【図４】
0004487336.tif 000005
【図５】
0004487336.tif 000006
【図６】
0004487336.tif 000007
【図７】
0004487336.tif 000008
【図８】
0004487336.tif 000009
【図９】
0004487336.tif 000010